(57)【特許請求の範囲】
【請求項１】
合成樹脂製弾性繊維を含有する弾性伸縮部（１０）が所定の位置に設けられた一揃えの衣服（１Ｈ）（１Ｍ）（１Ｓ）から成り、該一揃えの各衣服（１Ｈ）（１Ｍ）（１Ｓ）は、上記弾性伸縮部（１０）の合成樹脂製弾性繊維の含有率を相違させ、しかも、自由状態で相互に同一形状であって、
上記一揃えの衣服（１Ｈ）（１Ｍ）（１Ｓ）の内の１枚の衣服（１Ｈ）は、比較的大きな緊締力（Ｔ１）をもって着用者の上半身を引き締めることで体幹部を安定させて背筋の伸びた正しい姿勢を保ちつつ筋肉の動きを補助するためのスポーツ用とし、かつ、他の１枚の衣服（１Ｓ）は、比較的小さな緊締力（Ｔ２）をもって着用者の上半身を軽く引き締めて背筋の伸びた正しい姿勢を長時間にわたって保持させるための日常生活用とし、
上記一揃えの各衣服（１Ｈ）（１Ｍ）（１Ｓ）は、同一人物が着用した使用状態で、緊締力（Ｔ）が相違するように構成されていることを特徴とする衣服セット。
【請求項２】
上記一揃えの各衣服（１Ｈ）（１Ｍ）（１Ｓ）は、上記弾性伸縮部（１０）が、正面の腹部サポート用Ｔ字状領域（１１）、及び、脇下部から裾部にわたる左右一対の体側領域（１２）（１２）と、胸部の左右両端縁に設けられる左右一対の上下方向帯状領域（１３）（１３）と、さらに、背面の肩部から背部中央にわたって設けられるＶ字状領域（１４）と、該Ｖ字状領域（１４）の下端部に連設され背部中央に横断状に設けられる幅方向帯状領域（１５）と、に配設され、
上記使用状態で、着用者の腹部、体側部、及び、背部の筋肉を緊締力（Ｔ）によってサポートし、かつ、胸部の筋肉を開かせて、背筋の伸びた正しい姿勢を保持するように構成されている請求項１記載の衣服セット。
【発明の詳細な説明】
【技術分野】
【０００１】
本発明は、衣服セットに関する。
【背景技術】
【０００２】
従来、ゴルフ等のスポーツをする時に着用して、筋肉の動きを補助することで運動パフォーマンスを向上する運動用衣服が知られている（特許文献１参照）。
【先行技術文献】
【特許文献】
【０００３】
【特許文献１】特許第４０６１３３６号公報
【発明の概要】
【発明が解決しようとする課題】
【０００４】
しかし、特許文献１記載の運動用衣服は、大きな緊締力をもって着用者の身体を強く締付ける為、長時間にわたって着用していると息苦しくなるという欠点があった。
【０００５】
そこで、本発明は、使用の状況に応じて着替えることで緊締力の強弱を調節できる衣服セットを提供することを目的とする。
【課題を解決するための手段】
【０００６】
本発明に係る衣服セットは、合成樹脂製弾性繊維を含有する弾性伸縮部が所定の位置に設けられた一揃えの衣服から成り、該一揃えの各衣服は、上記弾性伸縮部の合成樹脂製弾性繊維の含有率を相違させ、しかも、自由状態で相互に同一形状であって、上記一揃えの衣服の内の１枚の衣服は、比較的大きな緊締力をもって着用者の上半身を引き締めることで体幹部を安定させて背筋の伸びた正しい姿勢を保ちつつ筋肉の動きを補助するためのスポーツ用とし、かつ、他の１枚の衣服は、比較的小さな緊締力をもって着用者の上半身を軽く引き締めて背筋の伸びた正しい姿勢を長時間にわたって保持させるための日常生活用とし、上記一揃えの各衣服は、同一人物が着用した使用状態で、緊締力が相違するように構成されているものである。
【０００７】
また、上記一揃えの各衣服は、上記弾性伸縮部が、正面の腹部サポート用Ｔ字状領域、及び、脇下部から裾部にわたる左右一対の体側領域と、胸部の左右両端縁に設けられる左右一対の上下方向帯状領域と、さらに、背面の肩部から背部中央にわたって設けられるＶ字状領域と、該Ｖ字状領域の下端部に連設され背部中央に横断状に設けられる幅方向帯状領域と、に配設され、上記使用状態で、着用者の腹部、体側部、及び、背部の筋肉を緊締力によってサポートし、かつ、胸部の筋肉を開かせて、背筋の伸びた正しい姿勢を保持するように構成されているものである。
【発明の効果】
【０００８】
本発明の衣服セットによれば、ゴルフ等のスポーツをする時と日常生活との使用状況の変化に応じて、一揃えの衣服の内から所望の衣服を選択して着替えることで、緊締力の強弱を調節できる。また、販売店に於ては、一揃えの衣服の内から選択して、客に最も望ましい緊締力のものを勧めることが可能となる。
【図面の簡単な説明】
【０００９】
【図１】本発明の実施の一形態を自由状態で示した正面図である。
【図２】本発明の実施の一形態を自由状態で示した背面図である。
【図３】一揃えの衣服の内の１枚の衣服の使用状態を示した正面図である。
【図４】一揃えの衣服の内の他の１枚の衣服の使用状態を示した正面図である。
【図５】使用状態を示す正面図である。
【図６】使用状態を示す側面図である。
【図７】本発明の他の実施形態を自由状態で示した背面図である。
【発明を実施するための形態】
【００１０】
以下、実施の形態を示す図面に基づき本発明を詳説する。
図１と図２に示すように、本発明の衣服セットは、弾性伸縮部１０が所定の位置に設けられた一揃えの衣服１Ｈ，１Ｍ，１Ｓから成る。
弾性伸縮部１０は、合成樹脂製弾性繊維を含有しており、着用すると弾発的に引き延ばされ、その弾発力によって着用者の身体を締付けるように形成されている。本発明に於て、使用状態下で弾性伸縮部１０が着用者を締める力を、緊締力Ｔとし、図３と図４に於て、緊締力Ｔの強弱を矢印の大きさにより表現している。なお、合成樹脂製弾性繊維は、ポリウレタン弾性繊維を使用するのが好ましく、具体的には、スパンデックス糸が用いられる。
【００１１】
一揃えの衣服１Ｈ，１Ｍ，１Ｓは、「ハード」「ミディアム」「ソフト」の３種類とし、その各々が、弾性伸縮部１０の合成樹脂製弾性繊維（ポリウレタン弾性繊維）の含有率を相違させて、同一人物が着用した使用状態で、「ハード」「ミディアム」「ソフト」の緊締力Ｔが相違するように構成されている。しかも、一揃えの各衣服１Ｈ，１Ｍ，１Ｓは、自由状態で、「ハード」「ミディアム」「ソフト」が相互に同一形状である。
衣服１Ｈ，１Ｍ，１Ｓは、アンダーウェア（インナーウェア）として着る半袖のシャツであって、着用者の上半身に密着するように全体が伸縮性のある生地で構成されている。なお、衣服１Ｈ，１Ｍ，１Ｓは、長袖のシャツやノースリーブシャツであっても良い（図示省略）。
【００１２】
図１では、衣服１Ｈ，１Ｍ，１Ｓの正面から見て、弾性伸縮部１０が、腹部のＴ字状領域１１、及び、脇下部から裾部にわたる体側領域１２，１２と、胸部の左右両端縁に設けられる一対の上下方向帯状領域１３，１３と、に配設されている。図２では、衣服１Ｈ，１Ｍ，１Ｓの背面から見て、弾性伸縮部１０が、肩部から背部中央にわたって設けられるＶ字状領域１４と、背部中央に設けられる幅方向帯状領域１５と、に配設されている。なお、弾性伸縮部１０は、正面及び背面に於て、衣服１Ｈ，１Ｍ，１Ｓの中心線に対し左右対称形状に形成されている。
一揃えの衣服１Ｈ，１Ｍ，１Ｓの内、「ハード」の硬さの衣服１Ｈは、弾性伸縮部１０の合成樹脂製弾性繊維（ポリウレタン弾性繊維）の含有率が、２６％未満であり２０％以上に設定されている。「ミディアム」の硬さの衣服１Ｍは、弾性伸縮部１０の合成樹脂製弾性繊維の含有率が、２０％未満であり１４％以上に設定され、また、「ソフト」の硬さの衣服１Ｓは、弾性伸縮部１０の合成樹脂製弾性繊維の含有率が、１４％未満であり８％以上に設定されている。
【００１３】
図３に示すように、「ハード」の衣服１Ｈは、着用者の身体を強く締付けるため、ゴルフをする時に着るのに好適である。なお、ゴルフの他、テニスや野球、サッカー、ヨガ等のスポーツをする時に着用しても良い。「ハード」の衣服１Ｈを着用した使用状態では、矢印にて示すように、弾性伸縮部１０が比較的大きな緊締力Ｔ１を発揮している。この使用状態下で、弾性伸縮部１０は、Ｔ字状領域１１の緊締力Ｔ１によって腹筋をサポートし、かつ、体側領域１２，１２の緊締力Ｔ１によって体側の筋肉をサポートする。また、弾性伸縮部１０は、背面のＶ字状領域１４と幅方向帯状領域１５の緊締力Ｔ１によって、背部の筋肉（主に広背筋）をサポートする。弾性伸縮部１０が、着用者の腹部、体側部、及び、背部を（強い）緊締力Ｔ１によって引き締めることで、着用者の身体が加圧され、しかも、体幹が安定する。しかも、弾性伸縮部１０は、正面の上下方向帯状領域１３，１３の緊締力Ｔ１、及び、背面のＶ字状領域１４と幅方向帯状領域１５の緊締力Ｔ１によって、着用者の胸の筋肉を開かせて、猫背を防止し、着用者が背筋の伸びた正しい姿勢を保持できる利点がある。
【００１４】
図５に示すように、衣服１Ｈを着用した使用状態で、ゴルフのスイング運動をすると、弾性伸縮部１０の緊締力Ｔ１によって、腹筋、背筋、及び、体側の筋肉がサポートされ、スムーズにスイングを行える。しかも、胸の筋肉が開いて背筋の伸びた正しい姿勢を保ちつつスイングを行える為、ショットが安定し、運動パフォーマンスを向上することができる。
【００１５】
一方、図４に示すように、「ソフト」の衣服１Ｓは、着用者の身体を軽く締付けるため、日常生活で着用するのに適している。「ソフト」の衣服１Ｓを着用した使用状態では、弾性伸縮部１０が比較的小さな緊締力Ｔ２を発揮している。
この使用状態下で、弾性伸縮部１０は、比較的弱い緊締力Ｔ２によって、着用者の腹部、体側部、及び、背部を引き締めて、腹筋、体側の筋肉、及び、背筋をサポートし、着用者の姿勢を保持する。しかも、弾性伸縮部１０は、正面の上下方向帯状領域１３，１３の緊締力Ｔ２、及び、背面のＶ字状領域１４と幅方向帯状領域１５の緊締力Ｔ２によって、着用者の胸の筋肉を開かせて、猫背を防止し、着用者が背筋の伸びた正しい姿勢を保持する。
【００１６】
図６に示すように、衣服１Ｓを着用した使用状態では、弾性伸縮部１０（の緊締力Ｔ２）によって、着用者の筋肉がサポートされ、着用者の体の軸Ｌ０が真っ直ぐに伸びて、適度に胸を張って背筋の伸びた正しい姿勢を保持する。着用者は、背筋の伸びた姿勢を保持することで、肩の可動域が拡大し、これにより、肩や首の凝りを防止する。また、胸の筋肉を開くことで、大胸筋をストレッチし、心肺機能を向上する。心肺機能の向上により、基礎代謝が高まり、ダイエットの効果も期待できる。
図示省略するが、「ミディアム」の衣服１Ｍは、ジョギングやウォーキング等の軽い運動をする時や、着用者の好みに応じて日常生活で使用するのが好ましい。「ミディアム」の衣服１Ｍは、着用者の筋肉をサポートし、背筋の伸びた正しい姿勢を保持する。
【００１７】
このように、着用者が、ゴルフ等のスポーツをする時と、日常生活の時の使用状況の変化に応じて、一揃えの衣服１Ｈ，１Ｍ，１Ｓの「ハード」「ミディアム」「ソフト」の３種類の内から所望の１枚の衣服を選択して着替えることで、緊締力Ｔの強弱を調節することが可能となる。
もしくは、ゴルフ等のスポーツの技術の上達に伴って、「ミディアム」「ハード」の衣服１Ｍ，１Ｈを順次替えていくこともできる。衣服１Ｍ，１Ｈを替えて、弾性伸縮部１０の緊締力Ｔを次第に強くしていくことで、弾性伸縮部１０によりサポートされる筋肉の動きを、より鮮明に意識できるようになり、例えば、ゴルフのスイング運動では、腰の回転や上半身の捻り等の動きを正しく身につけることができる。
【００１８】
図７に示すように、衣服１Ｈ，１Ｍ，１Ｓの背面から見て、弾性伸縮部１０が、肩部から体側部にわたって設けられ背部中央位置で交差するＸ字状領域１６と、脇下部から裾部にわたる体側領域１２，１２と、に配設されていても良い。弾性伸縮部１０は、背面のＸ字状領域１６の緊締力によって、背部の筋肉（主に広背筋）をサポートする。弾性伸縮部１０が、着用者の腹部、体側部、及び、背部を緊締力によって引き締めることで、着用者の身体が加圧され、しかも、体幹が安定し、背筋の伸びた姿勢を保持する。
【００１９】
なお、本発明は、設計変更可能であって、例えば、弾性伸縮部１０は、その配設位置（領域）を自由に変更することができる。
【００２０】
以上のように、本発明に係る衣服セットは、合成樹脂製弾性繊維を含有する弾性伸縮部１０が所定の位置に設けられた一揃えの衣服１Ｈ，１Ｍ，１Ｓから成り、一揃えの各衣服１Ｈ，１Ｍ，１Ｓは、弾性伸縮部１０の合成樹脂製弾性繊維の含有率を相違させ、しかも、自由状態で相互に同一形状であって、一揃えの各衣服１Ｈ，１Ｍ，１Ｓは、同一人物が着用した使用状態で、緊締力Ｔが相違するように構成されているので、ゴルフ等のスポーツをする時と日常生活との使用状況の変化に応じて、一揃えの衣服１Ｈ，１Ｍ，１Ｓの内から所望の衣服を選択して着替えることで、緊締力Ｔの強弱を調節できる。また、販売店に於ては、一揃えの衣服の内から選択して、客にも最も望ましい緊締力のものを勧めることが可能となる。
【００２１】
また、一揃えの衣服１Ｈ，１Ｍ，１Ｓの内の１枚の衣服１Ｈは、スポーツ用であって、比較的大きな緊締力Ｔ１をもって運動時の筋肉の動きを補助し、かつ、他の１枚の衣服１Ｓは、日常生活用であって、比較的小さな緊締力Ｔ２をもって正しい姿勢を保持するように構成されているので、スポーツをする時は、強い緊締力Ｔ１を有する衣服１Ｈを着用して、筋肉の動きを補助することで、運動パフォーマンスを向上できる。また、弾性伸縮部１０の緊締力Ｔ１によって身体を加圧することで、肉体的な疲労を軽減できる。軽い運動をする時や日常生活では、比較的弱い緊締力Ｔ２を有する衣服１Ｓを着用して、長時間にわたって着用が可能であり、正しい姿勢を保持するのをサポートできる。弾性伸縮部１０の緊締力Ｔ２によって、胸の筋肉を開いて、背筋を伸ばすことができ、正しい姿勢を保持できる。
【符号の説明】
【００２２】
１Ｈ  衣服
１Ｍ  衣服
１Ｓ  衣服
１０  弾性伸縮部
１１  Ｔ字状領域
１２  体側領域
１３  上下方向帯状領域
１４  Ｖ字状領域
１５  幅方向帯状領域
Ｔ  緊締力
Ｔ１  大きな緊締力
Ｔ２  小さな緊締力
【図１】
0006002181.tif 000002
【図２】
0006002181.tif 000003
【図３】
0006002181.tif 000004
【図４】
0006002181.tif 000005
【図５】
0006002181.tif 000006
【図６】
0006002181.tif 000007
【図７】
0006002181.tif 000008